(57)【要約】      （修正有）【課題】動的機構を要しない簡素な構造で、犬などペットに取り付けたリードの係留の着脱を片手の操作で容易にでき、強度とデザインの自由度に優れたリード係留フックを提供する。【解決手段】リード輪３０を通過させて挿脱させる先端部１１ａと係留部１１ｂとその基部１１ｃが連続した部材で成る係留部材本体１１に閉じた略環状の逸脱防止部材１２が固着され、基礎に固定する手段とともに表示プレート保持部１４を備えてリード係留フックを形成する。【選択図】図１
0003166692.tif 000002
【実用新案登録請求の範囲】
【請求項１】
閉じた略環状の逸脱防止部材と、該逸脱防止部材にリード輪を通過させて挿脱させる先端部と該リード輪を係留する係留部とその基部が連続した部材で成る係留部材本体と、前記基部が固着されかつ基礎に固定する手段を備えた固定部材とで構成され、前記逸脱防止部材の環状部内側で成る面が垂直方向に投影する一方側の範囲内に前記係留部材本体の先端部が該逸脱防止部材の内側から突出して配置され、かつ、前記面が垂直方向に投影する他方側又は該脱防止部材環状部内側の近傍に前記係留部が配置されるように、前記逸脱防止部材が前記係留部と前記基部の間に直接又は適宜部材を介して固着されて形成されることを特徴とするリード係留フック。
【請求項２】
前記逸脱防止部材の環状内側で成る面から突出した前記係留部材本体の先端部までの長さが該逸脱防止部材の内径の０．５〜２倍であることを特徴とする請求項１に記載のリード係留フック。
【請求項３】
前記固定部材が、基礎に固定する手段を備え、かつ表示プレートを保持するプレート保持部を備えたことを特徴とする請求項１又は請求項２に記載のリード係留フック。
【請求項４】
前記係留部材本体が、略Ｊ字形であることを特徴とする請求項１〜請求項３のいずれかに記載のリード係留フック。
【請求項５】
前記表示プレートが、フォトプレート、名札、表札のいずれかであることを特徴とする請求項３又は請求項４に記載のリード係留フック。
【考案の詳細な説明】
【技術分野】
【０００１】  本考案は、犬などの愛玩動物に取り付けたリードを係留するフックに関する。
【背景技術】
【０００２】  犬などの愛玩動物に取り付けたリードの輪状の持ち手を係留するフックとして、特許文献１が開示されている。
【先行技術文献】
【特許文献】
【０００３】
【特許文献１】実用新案登録第３１２６４４３号（図１）
【考案の概要】
【考案が解決しようとする課題】
【０００４】  特許文献１のフック金具は、フックの開口部を閉鎖するためのフック本体とは別の２次的な動的機構である留め金を必要とする。リードを取り外すためには、留め金の弾性に逆らって開口部の閉鎖を解除する必要がある。このため、操作性と留め金の強度及びデザインに制限があるという課題がある。
【課題を解決するための手段】
【０００５】  閉じた略環状の逸脱防止部材と、該逸脱防止部材にリード輪を通過させて挿脱させる先端部と該リード輪を係留する係留部とその基部が連続した部材で成る係留部材本体と、前記基部が固着されかつ基礎に固定する手段を備えた固定部材とで構成され、前記逸脱防止部材の環状部内側で成る面が垂直方向に投影する一方側の範囲内に前記係留部材本体の先端部が該逸脱防止部材の内側から突出して配置され、かつ、前記面が垂直方向に投影する他方側又は該脱防止部材環状部内側の近傍に前記係留部が配置されるように、前記逸脱防止部材が前記係留部と前記基部の間に直接又は適宜部材を介して固着されて形成されることを特徴とするリード係留フックとする。【０００６】  また、前記逸脱防止部材の環状内側で成る面から突出した前記係留部材本体の先端部までの長さが該逸脱防止部材の内径の０．５〜２倍であることを特徴とするリード係留フックとする。
また、前記固定部材が、基礎に固定する手段を備え、かつ表示プレートを保持するプレート保持部を備えたことを特徴とするリード係留フックとする。
また、前記係留部材本体が、略Ｊ字形であることを特徴とするリード係留フックとする。
また、前記表示プレートが、フォトプレート、名札、表札のいずれかであることを特徴とするリード係留フックとする。
【考案の効果】
【０００７】  本考案は、リードの係留の着脱を片手の操作で容易にできる。また、本考案は係留部の開閉のための動的機構を要しない構造であって、このために強度とデザインの自由度に優れる。
【図面の簡単な説明】
【０００８】
【図１】本考案の実施例１の左側面図である。
【図２】図１の正面図である。
【図３】図１の平面図である。
【図４】本考案の実施例２の右側面図である。
【図５】本考案の実施例３の右側面図である。
【考案を実施するための形態】
【０００９】  リードを係留する場合は、リード先端側を片手で持ち、リード先端側のリード輪を逸脱防止部材の環内側を通して係留部材本体先端部にリード輪の輪を通し、リードを引き付けることにより、リード輪は係留部材本体の係留部の定位置で係止される。開放する場合は、リードを片手で持ち逸脱防止部材を通したリード輪を先方に移動させて係留部材本体先端部から外した後、リードを引くだけで解除される。係留されたリードは犬などの愛玩動物の激しい動作によって振り回されても逸脱防止部材によってリード輪の動きが制限され係留部材本体先端部から逸脱するのを防ぐことができる。
表示プレートは、固定部材左右のコ字形状空間部位のプレート保持部に、表示プレート左右部を挿入することにより装着でき、表示プレートの着脱は自在である。
【実施例】
【００１０】  実施例１について、図１〜図３を用いて詳細に説明する。この例は係留部材本体１１が略Ｊ字形の場合であって、係留部材本体先端部１１ａ、係留部材本体係留部１１ｂ、係留部材本体基部１１ｃは一体で成り、係留部材本体係留部１１ｂの基部側から基部１１ｃにかけての部位を水平に、係留部材本体先端部１１ａを上側に配置され、係留部材本体１１の基部１１ｃは板状の固定部材１３に固着される。
逸脱防止部材１２は、閉じた略環状であって、逸脱防止部材上側端が固定部材１３から離れる側に傾斜して設けられ、逸脱防止部材１２の環状内側で成る面が垂直方向に投影する一方側、この例では上側範囲内に係留部材本体先端部１１ａが逸脱防止部材の内側から突出して配置されるように、逸脱防止部材下側端は係留部１１ｂと基部１１ｃの間で係留部材本体１１に固着される。
この例では、Ｊ字形を横向きに配置したが、横向きに限定せず、例えば係留部材本体先端部１１ａを上方にして縦向きであっても、また傾斜した向きの配置でも可能である。【００１１】  係留されたリードは犬などの愛玩動物の激しい動作によって振り回されても逸脱防止部材によってリード輪近傍の振れ回りなどの動きを制限しリード輪が係留部から逸脱するのを防ぐことができる。
前記逸脱防止部材の環状内側で成る面から突出した前記係留部材本体の先端部までの長さは、該逸脱防止部材の内径Ｄの０．５〜２倍とした。Ｌが略０．５Ｄより短いと犬などの愛玩動物の激しい動作によってリードが振り回されてリード輪が係留部材本体の先端部から外れやすく、Ｌが略２Ｄを超えるとリードを片手で持ってリード輪を逸脱防止部材を通して係留部材本体の先端部から挿脱する操作が困難になることによる。【００１２】  実施例１の例では、固定部材１３は板材で構成され、固定手段１６である取り付け孔を利用してネジなどで壁などの基礎部（図示せず）に固定される。
また、この例では、正面から見て左右端部位に、上から見てそれぞれがコ字形のプレート保持部１４とプレート保持部の下端に脱落防止の底部１５が設けられ、両端のコ字形の空間に上側から表示プレートが着脱自在に装着される。
表示プレートは、フォトプレート、名札、表札などであって、屋外に設置するために防水性、耐候性を考慮したものが適当である。愛玩動物の写真や名前を入れた表示プレートが好まれる。【００１３】  図４にその他の実施例の一つとして、ポール型の例を実施例２として示す。逸脱防止部材２２は適宜傾斜した例であり、逸脱防止部材２２の環状部内側で成る面が垂直方向に投影する一方側の範囲内に係留部材本体先端部２１ａが逸脱防止部材の内側から突出して配置され、先端部２１ａの適宜下方に適宜部材２８を介して逸脱防止部材２２が固着され、これによりリード輪の係留部２１ｂは係留部材本体と適宜部材２８の交点上部になる。基部２１ｃは固定部材であるポール２３に固定される。ポール２３は地面などの基礎２７にベースプレートや埋め込み基礎など適宜固定手段（図示せず）により固定される。この例では先端部２１ａを球状にしたが、先端部をその他の形状、例えばもう一つの環状部材で構成するなどデザインは自由である。【００１４】  図５にその他の実施例の一つとして、住宅基礎取り付け型の例を実施例３として示す。この例では逸脱防止部材２２は水平の例で示した。逸脱防止部材２２の環状部内側で成る面が垂直方向に投影する上側範囲内に係留部材本体先端部２１ａが逸脱防止部材の内側から突出して配置し、先端部２１ａの適宜下方に適宜部材２８を介して逸脱防止部材２２が固着される。リード輪の係留部２１ｂは係留部材本体と適宜部材２８の交点上部になる。基部２１ｃは固定部材２３である取り付け基板３３に固着され、取り付け基板３３は住宅基礎３７の側面に埋め込みボルトなど適宜固定手段（図示せず）で固定される。
【符号の説明】
【００１５】１  実施例１
２  実施例２
３  実施例３
１１  係留部材本体
１１ａ  係留部材本体先端部
１１ｂ  係留部材本体係留部
１１ｃ  係留部材本体基部
１２  逸脱防止部材
１３  固定部材（プレート）
１４  プレート保持部
１６  固定手段（ネジ取り付け穴）
２０  表示プレート
２１    係留部材本体
２１ａ  係留部材本体先端部
２１ｂ  係留部材本体係留部
２１ｃ  係留部材本体基部
２３  固定部材（ポール）
３０  リード
【図１】
0003166692.tif 000003
【図２】
0003166692.tif 000004
【図３】
0003166692.tif 000005
【図４】
0003166692.tif 000006
【図５】
0003166692.tif 000007